(57)【特許請求の範囲】
【請求項１】
男性会員と女性会員との写真をスキャンしてイメージファイルに変換する写真入力部と；
前記会員写真のイメージファイルを格納する会員写真データベースと；
前記会員写真データベースからイメージファイルの提供を受け、各会員が閲覧できるように異性会員の写真を一つずつディスプレイする映像出力部と；
前記映像出力部で異性会員の写真がディスプレイされるとき、それぞれの異性写真に対して会員の脳波を測定する脳波測定部と；
前記脳波測定部で測定した脳波をデータ化し、各会員ごとに区分して格納する測定脳波データベースと；
会員ごとに各々の異性写真に対する脳波の変化を分析して点数化する脳波分析部と；
異性会員間の相互の点数が一定レベル以上であれば、出会いを周旋し得る組合わせに選定するマッチング部と；
前記マッチング部により出会いを周旋する組合わせに選定された会員に対して、相手方会員の基本情報を提供するマッチング情報提供部とを含む、理想像を紹介するための感性マッチングシステム。
【請求項２】
第１項において、
前記マッチング部において出会いを周旋する組合わせに選定するための条件は、双方の異性会員の個別点数がいずれも最小レベル以上であり、双方の異性会員の合計点数が基準値以上であることを特徴とする、理想像を紹介するための感性マッチングシステム。
【請求項３】
第１項において、
前記脳波分析部において会員の脳波の変化を分析して点数化するためには、各会員がリラックスしている状態のときの脳波を基準脳波とし、データとして格納する基準脳波データベースを備え、前記基準脳波を基準に比較して測定した脳波の変化が１３〜５０Ｈｚの周波数帯域を有するβ波状態になるか、或いは、それに近いほどより高い点数を与えることを特徴とする、理想像を紹介するための感性マッチングシステム。
【請求項４】
第１項において、
バラード、リズム・アンド・ブルース、ロック、ヒップホップ、インディ・ミュージック、フォーク、ジャズ、ニューエイジ・ミュージックのジャンル別の音楽ファイルを格納する音楽データベースと、前記音楽データベースから音楽ファイルの提供を受け、各会員が聞けるように、ジャンルごとに一つずつ音楽を出力する音楽出力部をさらに備え、
前記脳波測定部は、前記ジャンル別音楽による聴覚刺激で変化する各会員の脳波を測定し、前記脳波分析部は、前記聴覚刺激による脳波の変化を分析し、各会員ごとに音楽的趣向を区分し、前記マッチング部は、前記出会いを周旋する組合わせを選定するとき、前記音楽的趣向まで考慮するようにすることを特徴とする、理想像を紹介するための感性マッチングシステム。
【請求項５】
第１項において、
アクション、空想科学、武侠、ユーモア／コメディー、メロ／ドラマ、ホラー、スリラーのジャンル別の映画予告編のファイルを格納する映画データベースをさらに備え、
前記映像出力部は、前記映画データベースから映画予告編のファイルの提供を受け、各会員が見れるように、ジャンルごとに一つずつ映画予告編をディスプレイし、前記脳波測定部は、前記ジャンル別映画により変化する各会員の脳波を測定し、前記脳波分析部は、前記ジャンル別映画による脳波の変化を分析し、各会員ごとに映画的趣向を区分し、前記マッチング部は、前記出会いを周旋する組合わせを選定するとき、前記映画的趣向まで考慮するようにすることを特徴とする、理想像を紹介するための感性マッチングシステム。
【請求項６】
第１項において、
韓国料理、中国料理、和食、洋食、ファーストフードを代表するキムチチゲ香水、チャンポン香水、魚香水、ロースステーキ香水、ピザ香水の種類別の飲食品の香水を区分して格納し、要請があるときに、各会員がかぐことができるように、種類別の飲食品のにおいを一種ずつ散布するにおい散布部をさらに備え、
前記脳波測定部は、前記種類別の飲食品のにおいによる嗅覚刺激で変化する各会員の脳波を測定し、前記脳波分析部は、前記嗅覚刺激による脳波の変化を分析し、各会員ごとに飲食品の趣向を区分し、前記マッチング部は、前記出会いを周旋する組合わせを選定するとき、前記飲食の趣向まで考慮するようにすることを特徴とする、理想像を紹介するための感性マッチングシステム。
【請求項７】
理想像を紹介するための感性マッチング方法であって、
各会員に既に格納している異性会員の写真を一つずつディスプレイするステップと；
ディスプレイした異性会員の写真による各会員の脳波の変化を測定するステップと；
各写真に対して測定した脳波をデータ化し、各会員ごとに区分して格納するステップと；
会員ごとに各々の異性写真に対する脳波の変化を分析して点数化するステップと；
異性会員間の相互の点数が一定レベル以上であれば、出会いを周旋し得る組合わせと選定するステップと；
出会いを周旋する組合わせに選定された会員に対して、相手方会員の基本情報を提供するステップとを含む、理想像を紹介するための感性マッチング方法。
【請求項８】
第７項において、
前記出会いを周旋する組合わせに選定するための条件は、双方の異性会員の個別点数がいずれも最小レベル以上であり、双方の異性会員の合計点数が基準値以上であることを特徴とする、理想像を紹介するための感性マッチング方法。
【請求項９】
第７項において、
前記脳波分析による点数化は、各会員がリラックスしている状態のときの周波数と比較して、１３〜５０Ｈｚの周波数帯域を有するβ波状態になるか、或いは、それに近づく方向に変化の程度が大きいほど高い点数を与えることを特徴とする、理想像を紹介するための感性マッチング方法。
【請求項１０】
第７項において、
各会員にバラード、リズム・アンド・ブルース、ロック、ヒップホップ、インディ・ミュージック、フォーク、ジャズ、ニューエイジ・ミュージックのジャンル別音楽を区分して聞かせるステップと；
前記ジャンル別音楽による聴覚刺激で変化する各会員の脳波を測定するステップと；
各会員ごとに前記聴覚刺激による脳波の変化を分析し、音楽的趣向を区分するステップと；
前記出会いを周旋する組合わせを選定するとき、前記音楽的趣向まで考慮することを特徴とする、理想像を紹介するための感性マッチング方法。
【請求項１１】
第７項において、
各会員にアクション、空想科学、武侠、ユーモア／コメディー、メロ／ドラマ、ホラー、スリラーのジャンル別映画を区分して予告編を見せるステップと；
前記ジャンル別映画により変化する各会員の脳波を測定するステップと；
各会員ごとに、前記ジャンル別映画による脳波の変化を分析し、映画的趣向を区分するステップと；
前記出会いを周旋する組合わせを選定するとき、前記映画的趣向まで考慮することを特徴とする、理想像を紹介するための感性マッチング方法。
【請求項１２】
第７項において、
各会員に韓国料理、中国料理、和食、洋食、ファーストフードを代表するキムチチゲのにおい、チャンポンのにおい、海のにおい、ロースステーキのにおい、ピザのにおいの種類別の飲食品のにおいを区分して提供するステップと；
前記種類別の飲食品のにおいによる嗅覚刺激で変化する各会員の脳波を測定するステップと；
各会員ごとに前記嗅覚刺激による脳波の変化を分析し、飲食品の趣向を区分するステップと；
前記出会いを周旋する組合わせを選定するとき、前記飲食品の趣向を考慮することを特徴とする、理想像を紹介するための感性マッチング方法。
【発明の詳細な説明】
【技術分野】
【０００１】
本発明は、結婚や異性交際のために男性会員と女性会員とを紹介するためのマッチングシステム及びマッチング方法に関し、特に、脳波の変化を用いる感性中心の接近方式で、相手会員の外貌好感度、音楽的趣向、映画的趣向、飲食品の趣向を把握し、最適の理想像を探すことに適合した、理想像を紹介するための感性マッチングシステム及びマッチング方法に関する。
【背景技術】
【０００２】
結婚が名実相伴うビジネスの一つとして位置づいている今、営利業者である家庭儀礼法上の結婚相談所、商法上の結婚情報会社、及び、非営利業者である教会など（以下「結婚情報業者」という）が、結婚情報業者として、独身を対象として結婚情報サービスを提供している。
【０００３】
これらの結婚情報業者は、配偶者市場をより客観化、数量化しようとする努力を傾けているが、これは、インターネットを基盤としたオンライン結婚紹介業者の成長から確認できる。インターネットで活用するミーティングや結婚を周旋、仲介する方式は、概ね以下の通りである。
【０００４】
会員が業者の会員に加入したら、各業者が求める各種の身上証明書類を提出せしめ、所定の自己紹介書や希望対象者に対する理想像を作成せしめる。
【０００５】
これと別途に、業者により、カップルマネージャーと呼ばれる仲介人が直接相談を通じて付加的な身上情報収集を行うこともある。
【０００６】
業者は、このように収集した会員情報に基づき、会員が希望する適正対象者を選定し、会員双方間の仲介に乗り出す。該仲介過程において核心となることは、書類上で提出されている会員の履歴を確認する身元確認ステップと、会員が作成した様々なマニュアル記録を体系的にデータベース化するステップであるといえる。これにより、各業者は、独自の方式で配偶者情報の正確さ及び客観性を判別し出す。にもかかわらず、大部分の業者は、多数のカップルマネージャーと呼ばれる仲介人を雇用し、実質的な配偶者情報の判別及び確認、また、諸情報を総合したマッチングの最終決定は、彼らの感や経験に最終的に依存している。その他、心理テスト、相性テスト、血液型、四柱八字、星座相性などの付加的な方法を活用する事例がある。
【０００７】
しかし、上記のような方法は、成婚、成功率、その後のマッチング維持率が高くない方である。その理由は、相手会員が提示した身上情報が時々不良情報、うその情報であり得るためである。例えば、趣味や嗜好、自己の性格、成長過程の表現、理想像を記述するに当たって、利用者の便宜や主観により、配偶者情報が歪曲される可能性が十分にある。
【０００８】
たとえ、相手会員が提示した身上情報が正確だとしても、会員の身体情報、学歴、地域縁故、職場職位などの固定的な外的情報がマッチングの絶対的な基準となっている今の旧態依然たる方式では、実質的な理想像を探し、紹介できる可能性は極めて低いといえる。
【０００９】
かかる従来の方式は、理想像を考慮するに当たって最重要な要素となる感性的な要因を完全に排除したものといえ、結局、マッチング過程において個人的な混乱、心理的なもつれなど、情報の不完全さから引き起こる各種の社会的費用などの問題に至ることになる。
【発明の概要】
【発明が解決しようとする課題】
【００１０】
そこで、本発明は、上記のような従来の諸問題点を解消するために提案されたものであり、本発明の目的は、脳波の変化を用いる感性中心の接近方式で最適の理想像を探すことができるようにする、理想像を紹介するための感性マッチングシステム及びマッチング方法を提供することにある。
【課題を解決するための手段】
【００１１】
上記のような目的を達成するために、本発明の技術的思想による理想像を紹介するための感性マッチングシステムは、男性会員と女性会員の写真をスキャンしてイメージファイルに変換する写真入力部と；前記会員写真のイメージファイルを格納する会員写真データベースと；前記会員写真データベースからイメージファイルの提供を受け、各会員が閲覧できるように異性会員の写真を一つずつディスプレイする映像出力部と；前記映像出力部で異性会員の写真がディスプレイされるとき、それぞれの異性写真に対して会員の脳波を測定する脳波測定部と；前記脳波測定部で測定した脳波をデータ化し、各会員ごとに区分して格納する測定脳波データベースと；会員ごとに各々の異性写真に対する脳波の変化を分析して点数化する脳波分析部と；異性会員間の相互の点数が一定レベル以上であれば、出会いを周旋し得る組合わせに選定するマッチング部と；前記マッチング部により出会いを周旋する組合わせに選定された会員に対して、相手方会員の基本情報を提供するマッチング情報提供部とを含むことを、その技術的構成の特徴とする。
【００１２】
ここで、前記マッチング部において出会いを周旋する組合わせに選定するための条件は、双方の異性会員の個別点数がいずれも最小レベル以上であり、双方の異性会員の合計点数が基準値以上であることを特徴とする。
【００１３】
また、前記脳波分析部において会員の脳波の変化を分析して点数化するためには、各会員がリラックスしている状態のときの脳波を基準脳波とし、データとして格納する基準脳波データベースを備え、前記基準脳波を基準に比較して測定した脳波の変化が１３〜５０Ｈｚの周波数帯域を有するβ波状態になるか、或いは、近いほどより高い点数を与えることを特徴とする。
【００１４】
さらに、バラード、リズム・アンド・ブルース、ロック、ヒップホップ、インディ・ミュージック、フォーク、ジャズ、ニューエイジ・ミュージックのジャンル別の音楽ファイルを格納する音楽データベースと、前記音楽データベースから音楽ファイルの提供を受け、各会員が聞けるように、ジャンルごとに一つずつ音楽を出力する音楽出力部をさらに備え、前記脳波測定部は、前記ジャンル別音楽による聴覚刺激で変化する各会員の脳波を測定し、前記脳波分析部は、前記聴覚刺激による脳波の変化を分析し、各会員ごとに音楽的趣向を区分し、前記マッチング部は、前記出会いを周旋する組合わせを選定するとき、前記音楽的趣向まで考慮するようにすることを特徴とする。
【００１５】
また、アクション、空想科学、武侠、ユーモア／コメディー、メロ／ドラマ、ホラー、スリラーのジャンル別の映画予告編のファイルを格納する映画データベースをさらに備え、前記映像出力部は、前記映画データベースから映画予告編のファイルの提供を受け、各会員が見れるように、ジャンルごとに一つずつ映画予告編をディスプレイし、前記脳波測定部は、前記ジャンル別映画により変化する各会員の脳波を測定し、前記脳波分析部は、前記ジャンル別映画による脳波の変化を分析し、各会員ごとに映画的趣向を区分し、前記マッチング部は、前記出合いを周旋する組合わせを選定するとき、前記映画的趣向まで考慮するようにすることを特徴とする。
【００１６】
さらに、韓国料理、中国料理、和食、洋食、ファーストフードを代表するキムチチゲ香水、チャンポン香水、魚香水、ロースステーキ香水、ピザ香水の種類別の飲食品の香水を区分して格納し、要請があるときに各会員がかぐことができるように、種類別の飲食品のにおいを一種ずつ散布するにおい散布部をさらに備え、前記脳波測定部は、前記種類別の飲食品のにおいによる嗅覚刺激で変化する各会員の脳波を測定し、前記脳波分析部は、前記嗅覚刺激による脳波の変化を分析し、各会員ごとに飲食品の趣向を区分し、前記マッチング部は、前記出会いを周旋する組合わせを選定するとき、前記飲食品の趣向まで考慮するようにすることを特徴とする。
【００１７】
また、本発明による感性マッチング方法は、各会員に既に格納している異性会員の写真を一つずつディスプレイするステップと；ディスプレイした異性会員の写真による各会員の脳波の変化を測定するステップと；各写真について測定した脳波をデータ化し、各会員ごとに区分して格納するステップと；会員ごとに各々の異性写真に対する脳波の変化を分析して点数化するステップと；異性会員間の相互の点数が一定レベル以上であれば、出会いを周旋し得る組合わせと選定するステップと；出会いを周旋する組合わせに選定された会員に対して、相手方会員の基本情報を提供するステップとを含むことを、その技術的構成の特徴とする。
【００１８】
ここで、前記出会いを周旋する組合わせに選定するための条件は、双方の異性会員の個別点数がいずれも最小レベル以上であり、双方の異性会員の合計点数が基準値以上であることを特徴とする。
【００１９】
また、前記脳波分析による点数化は、各会員がリラックスしている状態のときの周波数と比較して、１３〜５０Ｈｚの周波数帯域を有するβ波状態になるか、或いは、近づく方向に変化の程度が大きいほど高い点数を与えることを特徴とする。
【００２０】
さらに、各会員にバラード、リズム・アンド・ブルース、ロック、ヒップホップ、インディ・ミュージック、フォーク、ジャズ、ニューエイジ・ミュージックのジャンル別音楽を区分して聞かせるステップと；前記ジャンル別音楽による聴覚刺激で変化する各会員の脳波を測定するステップと；各会員ごとに前記聴覚刺激による脳波の変化を分析し、音楽的趣向を区分するステップと；前記出会いを周旋する組合わせを選定するとき、前記音楽的趣向まで考慮することを特徴とする。
【００２１】
また、各会員にアクション、空想科学、武侠、ユーモア／コメディー、メロ／ドラマ、ホラー、スリラーのジャンル別映画を区分して予告編を見せるステップと；前記ジャンル別映画により変化する各会員の脳波を測定するステップと；各会員ごとに、前記ジャンル別映画による脳波の変化を分析し、映画的趣向を区分するステップと；前記出会いを周旋する組合わせを選定するとき、前記映画的趣向まで考慮することを特徴とする。
【００２２】
さらに、各会員に韓国料理、中国料理、和食、洋食、ファーストフードを代表するキムチチゲのにおい、チャンポンのにおい、海のにおい、ロースステーキのにおい、ピザのにおいの種類別の飲食品のにおいを区分して提供するステップと；前記種類別の飲食品のにおいによる嗅覚刺激で変化する各会員の脳波を測定するステップと；各会員ごとに前記嗅覚刺激による脳波の変化を分析し、飲食品の趣向を区分するステップと；前記出会いを周旋する組合わせを選定するとき、前記飲食品の趣向を考慮することを特徴とする。
【発明の効果】
【００２３】
本発明による感性マッチングシステム及びマッチング方法は、脳波の変化を用い、科学的な感性中心の接近方式で最適の理想像を探すことができる。
【００２４】
また、本発明は、相手会員に対する外貌好感度を基本にしながら、音楽的趣向、映画的趣向、飲食品の趣向などを更なる根拠資料とすることで、理想像に最も近い会員間の組合わせを導き出すことができる。
【図面の簡単な説明】
【００２５】
【図１】本発明による感性マッチングシステムの構成を説明するための全体構成図である。
【図２】本発明による脳波分析部を説明するための構成図である。
【図３】脳波分析部が脳波変化を分析して点数化するための理論的背景を説明するための参照図である。
【図４】マッチング部が出会いを周旋する会員を選定する方法を説明するための参照図である。
【図５】マッチング部が出会いを周旋する会員を選定する方法を説明するための参照図である。
【図６】マッチング部が出会いを周旋する会員を選定する方法を説明するための参照図である。
【図７】マッチング部が出会いを周旋する会員を選定する方法を説明するための参照図である。
【図８】マッチング部が出会いを周旋する会員を選定する方法を説明するための参照図である。
【図９】出会いを周旋する組合わせに最終選定された会員に対して情報を提供するネットワーク構成図である。
【図１０】本発明による感性マッチング方法のステップ別構成を説明するための構成図である。
【図１１】ジャンル別音楽出力ステップの細部ステップを示す構成図である。
【図１２】ジャンル別映画ディスプレイステップの細部ステップを示す構成図である。
【図１３】種類別の飲食品のにおい提供ステップの細部ステップを示す構成図である。
【発明を実施するための形態】
【００２６】
以下、上記のような本発明の技術的思想による実施例を、添付図面を参照して具体的に説明する。
【００２７】
本発明による感性マッチングシステム及びマッチング方法は、今までの技術とは全く異なり、脳波の変化を用いる科学的な感性中心の接近方式で最適の理想像を探すことができるように構成する。特に、相手会員に対する外貌好感度を基本にし、かつ、音楽的趣向、映画的趣向、飲食品の趣向などをさらに考慮するようにし、理想像に最も近い会員間の組合わせを導き出す。
【００２８】
これにより、本発明による感性マッチングシステム及びマッチング方法は、従来の旧態依然たる接近方式を脱皮し、感性を共有することができる最適の理想像を探し、マッチングすることができる。
【００２９】
以下、本発明による感性マッチングシステムの構成について、具体的に説明する。
【００３０】
図１は、本発明による感性マッチングシステムの構成を説明するための全体構成図であり、図２は、本発明による脳波分析部を説明するための構成図である。
【００３１】
図示のように、本発明による感性マッチングシステムは、会員の脳波分析による最適の組合わせを導き出す制御器Ａの脳波分析部１６０とマッチング部１７０を中心に、写真入力部１１０、映像出力部１２０、音楽出力部１３０、におい散布部１４０、脳波測定部１５０、マッチング情報提供部１８０、データベース部１９０を含む。このような本発明の構成を上記の各構成要素を中心にして説明すると、以下の通りである。
【００３２】
先ず、前記写真入力部１１０は、男性会員と女性会員との写真をスキャンし、イメージファイルに変換する役割を行う。前記写真入力部１１０は、常用しているスキャナを備えればよい。前記写真入力部１１０で生成したイメージファイルは、脳波分析部１６０とマッチング部１７０とを含む制御器Ａにより、データベース部１９０の会員写真データベース１９１に格納される。
【００３３】
前記映像出力部１２０は、前記会員写真データベース１９１からイメージファイルの提供を受け、各会員が閲覧できるように異性会員の写真を一つずつディスプレイする。前記映像出力部１２０は、常用しているコンピュータモニターを備えればよく、実質的なイメージファイルの再生は、前記制御器Ａが担当し、前記映像出力部１２０は、再生したイメージファイルの出力を担当する。
【００３４】
このように、前記映像出力部１２０が異性会員の写真をディスプレイすると、前記脳波分岐セ部１６０とマッチング部１７０で異性の写真による各会員の脳波の変化を分析し、これに基づき、出会いを周旋する会員間の組合せを選定する。
【００３５】
また、前記映像出力部１２０は、前記映画データベース１９５から映画予告編のファイルの提供を受け、各会員が見れるように、ジャンルごとに一つずつ映画予告編をディスプレイする。このとき、実質的な映画予告編のファイルの再生は、前記制御器Ａが担当し、前記映像出力部１２０は、再生した映画予告編のファイルの映像出力のみを担当する。
【００３６】
このように、前記映像出力部１２０が、ジャンルごとに映画予告編のファイルをディスプレイすると、前記脳波分析部とマッチング部１７０においてジャンル別映画による脳波の変化を分析し、各会員ごとに映画的趣向を区分し、出会いを周旋する会員間の組合わせを選定するための更なる根拠資料とすることができる。
【００３７】
前記音楽出力部１３０は、音楽データベース１９４から音楽ファイルの提供を受け、各会員が聞けるように、ジャンルごとに一つずつ音楽を出力する。前記音楽出力部１３０は、前記制御器Ａに連結されており、常用しているコンピュータ用アクティブスピーカを備えればよい。しかし、好ましくは、より高い音質の音楽を出力するために、ＤＡＣ、ＨｉＦｉ用アンプ及びパッシブスピーカを備える。前記音楽出力部１３０は、前記音楽データベース１９４から提供されたバラード、リズム・アンド・ブルース、ロック、ヒップホップ、インディ・ミュージック、フォーク、ジャズ、ニューエイジ・ミュージックのジャンル別の音楽ファイルを、各会員に一種ずつすべて再生する。
【００３８】
このように、前記音楽出力部１３０がジャンルごとに音楽ファイルを再生して出力すると、前記脳波分析部とマッチング部１７０においてジャンル別音楽による脳波の変化を分析し、各会員ごとに音楽的趣向を区分し、出会いを周旋する会員間の組合わせを選定するための更なる根拠資料とすることができる。
【００３９】
前記におい散布部１４０は、各会員がかげるように、種類ごとに一つずつにおいを散布する。前記におい散布部１４０は、前記制御器Ａに連結されて制御され、市中で常用しているパフュームディフューザー（Perfume Diffuser）を備えればよい。ただ、前記パフュームディフューザーは、キムチチゲ香水、チャンポン香水、魚香水、ロースステーキ香水、ピザ香水を種類ごとに区分して格納可能な複数の格納チャンバをそれ自体に備えるものでなければならない。これにより、前記におい散布部１４０は、キムチチゲのにおい、チャンポンのにおい、海のにおい、ロースステーキのにおい、ピザのにおいの種類別の飲食品のにおいを、各会員に一種ずつ全て散布する。ここで、前記キムチチゲのにおい、チャンポンのにおい、海のにおい、ロースステーキのにおい、ピザのにおいは、それぞれ韓国料理、中国料理、和食、洋食、ファーストフードを代表する。
【００４０】
このように、前記におい散布部１４０が種類ごとに飲食品のにおいを散布すると、前記脳波分析部とマッチング部１７０において、飲食品のにおいによる脳波の変化を分析し、各会員ごとに飲食品の趣向を区分し、出会いを周旋する会員間の組合わせを選定するための更なる根拠資料とすることができる。
【００４１】
前記脳波測定部１５０は、前記映像出力部１２０において異性会員の写真がディスプレイされるとき、各々の異性写真に対して被検査会員の脳波を測定する。
【００４２】
また、前記脳波測定部１５０は、前記映像出力部１２０でジャンル別の映画予告編がディスプレイされるとき、前記ジャンル別映画により変化する会員の脳波を測定する。
【００４３】
さらに、前記脳波測定部１５０は、前記音楽出力部１３０でジャンル別音楽が出力されるとき、ジャンル別音楽による聴覚刺激で変化する会員の脳波を測定する。
【００４４】
また、前記脳波測定部１５０は、前記におい散布部１４０で種類別の飲食品のにおいが散布されるとき、種類別飲食品のにおいによる嗅覚刺激で変化する会員の脳波を測定する。
【００４５】
上記のように様々な状況下で、被検査会員の脳波の変化を測定する前記脳波測定部１５０は、図２に示すように、被検査会員の頭に直接接触し、被検査会員から発生する脳波を感知し、電気的な脳波信号に変換して出力する脳波感知器１５１と、前記脳波感知器１５１から入力される脳波信号を増幅し、出力する増幅器１５２と、前記増幅器１５２から入力されるアナログ形態の脳波信号をデジタル形態の脳波信号に変換して出力するＡ／Ｄ変換器１５３を基本的に含む。ここで、前記脳波測定部１５０を構成する脳波感知器１５１、増幅器１５２、Ａ／Ｄ変換器１５３は、市中で容易に求めることができ、公知の技術に該当するので、これ以上の説明は省略する。
【００４６】
前記脳波分析部１６０は、会員ごとに各々の異性写真に対する脳波の変化を分析して点数化することにより、相手異性会員に外貌好感度を判断することができ、これに基づき、前記マッチング部１７０が出会いを周旋可能な組合わせを選定することができるようにする。ここで、前記点数は、相対異性会員に対する脳波の変化数値を、全会員において順位をつけて百分率化した数値をＸとしたとき、以下のように算出する。
【００４７】
点数 ＝ （１００−Ｘ）
また、前記脳波分析部１６０は、前記ジャンル別映画による脳波の変化を分析し、各会員ごとに映画的趣向を区分することにより、前記マッチング部１７０が出会いを周旋可能な組合わせを選定することに更なる根拠資料を提供する。さらに、前記脳波分析部１６０は、前記ジャンル別映画による脳波の変化を分析し、各会員ごとに映画的趣向を区分することにより、前記マッチング部１７０が出会いを周旋可能な組合わせを選定することに更なる根拠資料を提供する。また、前記脳波分析部１６０は、前記聴覚刺激による脳波の変化を分析し、各会員ごとに音楽的趣向を区分することにより、前記マッチング部１７０が出会いを周旋可能な組み合わせを選定することに更なる根拠資料を提供する。
【００４８】
参考までに、添付の図３は、前記脳波分析部１６０が脳波の変化を分析して点数化するための理論的背景を示す。図３に示すように、人間がリラックスしているときは、（ロ）のように、８〜１３Ｈｚの周波数帯域を有するα波状態であって、比較的低い周波数帯域を有する。しかし、人間が興奮すると、（ハ）のように、１３〜５０Ｈｚの周波数帯域を有するβ波状態になり、αに比べて高いレベルの周波数帯域に変化する。
【００４９】
よって、各会員の脳波の変化を分析して点数化するためには、各会員がリラックスしている状態のときの脳波（α波）を基準脳波として、データベース部１９０に格納する。その後、前記基準脳波を基準に、各会員に異性写真を見せたとき、ジャンル別音楽を聞かせたとき、ジャンル別映画を見せたとき、種類別の飲食品のにおいをかがせたときのように、状況別脳波変化を測定して比較する。その後、各会員の脳波が変化、興奮した状態のときの脳波（β波）に近いほど、より高い点数を与えればよい。
【００５０】
以下の表１は、脳波状態による周波数帯域をまとめたものであり、各状況ごとに各会員の変化した脳波状態が１３〜５０Ｈｚに属する、或いは近い周波数帯域を示したら興奮した状態とみなし、より高い点数を与えることができる。ただ、被検査会員の脳波が１３〜５０Ｈｚに属する場合、より高い周波数であるほど、より高い点数を与える。
【００５１】
【表１】
0005514370.tif 000002
【００５２】
なお、前記マッチング部１７０は、異性会員間の相互の点数が一定レベル以上であれば、出会いを周旋可能な組合わせに選定する役割を行う。ここで、マッチング部１７０が出会いを周旋する組合わせに選定するための条件は、双方の異性会員の個別点数がいずれも最小レベル以上であり、双方の異性会員の合計点数が基準値以上の場合である。たとえば、上記条件のうち、双方の異性会員の個別点数が最小レベルとは、組合わせに選定される双方の異性会員がいずれも、相手異性会員に対する脳波の変化数値が、全会員のうち、百分率で上位３０％以内であり、外貌好感度点数が最小７０点以上ずつでなければならず、双方の異性会員の合計点数は、平均的に上位２０％レベルの１６０点以上でなければならない。
【００５３】
もちろん、上記において提示した個別点数及び合計点数の条件は、一例に過ぎず、いくらでも調整可能である。すなわち、考慮の対象となる会員に対して、出会いを周旋する会員の数が多い場合は点数条件を厳しくすることができ、考慮の対象となる会員に対して、出会いを周旋する会員の数が少ない場合は点数条件を厳しくないようにすることができる。
【００５４】
図４〜図８は、前記マッチング部が出会いを周旋する会員を選定する方法を説明するための参照図である。
【００５５】
前記マッチング部１７０は、先ず、図４に示すように、被検査会員に対して写真による外貌好感度が高い上位グループの異性会員を２２名選定することができる。これに加えて、図５のように、外貌好感度が高い上記２２名の異性会員のうち、被検査会員と音楽的趣向、映画的趣向、飲食品の好みが一致した２名の異性会員を、出会いを周旋する異性会員として最優先して選定することができる。
【００５６】
また、マッチング部１７０は、外貌好感度が高い前記２２名の異性会員のうち、被検査会員と音楽的趣向、映画的趣向、飲食品の趣向の二種のみが一致した異性会員を、出会いを周旋する異性会員として次の順番に選定することができる。図６は、５名の会員が、被検査会員と音楽的趣向及び映画的趣向において一致することを示し、図７は、５名の会員が、被検査会員と音楽的趣向及び飲食品の趣向において一致することを示し、図８は、４名の会員が被検査会員と映画的趣向及び飲食品の趣向において一致することを示す。
【００５７】
前記マッチング情報提供部１８０は、図９に示すように、マッチング部１７０により、出会いを周旋する組合わせに最終選定した会員に対して、相手方会員の基本情報を提供する。前記マッチング情報提供部１８０も、前記制御器Ａに連結されて制御され、市中で常用している様々なネットワーク・インターフェース・カードなどを備えればよい。ただ、被検査会員と選定した会員との端末機１０１、１０２、１０３を考慮して、様々な種類のものに変更可能なことはいうまでもない。たとえば、会員の端末機１０１、１０２、１０３を個人用コンピュータやスマートフォンに制限すれば、インターネットを通じて情報を提供することができるネットワーク・インターフェース・カードであればよいが、会員の端末機１０１、１０２、１０３が携帯電話及び移動通信媒体の場合、更なる装備が導入されなければならない。
【００５８】
前記データベース部１９０は、会員写真データベース１９１、基準脳波データベース１９２、測定脳波データベース１９３、音楽データベース１９４、映画データベース１９５を含む。
【００５９】
前記会員写真データベース１９１は、前記写真入力部１１０で男性会員と女性会員との写真をスキャンして生成したイメージファイルを格納する。
【００６０】
前記基準脳波データベース１９２は、各会員がリラックスしている状態のときを基準にして、前記脳波測定部１５０で測定した脳波をデータ化し、各会員ごとに区分して格納する。
【００６１】
前記測定脳波データベース１９３は、前記脳波測定部１５０で測定した脳波をデータ化し、各会員ごとに区分して格納する。
【００６２】
前記音楽データベース１９４は、バラード、リズム・アンド・ブルース、ロック、ヒップホップ、インディ・ミュージック、フォーク、ジャズ、ニューエイジ・ミュージックのジャンル別の音楽ファイルを格納し、前記音楽出力部１３０が音楽を出力できるように格納しているジャンル別の音楽ファイルを提供する。
【００６３】
前記映画データベース１９５は、アクション、空想科学、武侠、ユーモア／コメディー、メロ／ドラマ、ホラー、スリラーのジャンル別の映画予告編のファイルを格納し、前記映像出力部１２０が、映画予告編をディスプレイ（上映）できるように格納している映画予告編のファイルを提供する。
【００６４】
次に、前述のような本発明の感性マッチングシステムを用いる感性マッチング方法について説明する。図１０は、本発明による感性マッチング方法のステップ別構成を説明するための構成図であり、図１１〜図１３は、それぞれ、ジャンル別音楽出力ステップ、ジャンル別映画ディスプレイステップ、種類別の飲食品のにおい提供ステップの細部ステップを示す構成図である。
【００６５】
本発明による感性マッチング方法を進行するに先立って、理想像を探す被検査会員に最も先に脳波測定部１５０の脳波感知器１５１を装着し、映像出力部１２０、音楽出力部１３０、におい散布部１４０、脳波測定部１５０、脳波分析部１６０、マッチング部１７０、データベース部１９０、マッチング情報提供部１８０など、マッチングシステムの全ての構成要素を、作動可能な状態にオンする。
【００６６】
先ず、図１０のように、被検査会員に異性会員の写真をディスプレイするステップＳ１０１が進行する。
【００６７】
このステップＳ１０１では、映像出力部１２０が会員写真データベース１９１から提供されるイメージファイルを写真で再生してディスプレイし、被検査会員は、映像出力部１２０でディスプレイされる異性会員の写真を順にみる。このとき、被検査会員の脳波は、ディスプレイされる異性会員の写真のうち、好感度が高い外貌を有する異性会員の写真がディスプレイされると、興奮して急激に脳波が変化する。
【００６８】
その後、脳波の変化を測定するステップＳ１０５が進行する。（ジャンル別音楽測定ステップＳ１０２、ジャンル別映画ディスプレイステップＳ１０３、種類別の飲食品のにおい提供ステップＳ１０４は、追加的なステップであって、後述する）
このステップＳ１０５では、脳波測定部１５０が被検査会員の変化する脳波を測定する。
【００６９】
その後、脳波の変化を会員ごとに格納するステップＳ１０６が進行する。
【００７０】
このステップＳ１０６では、ディスプレイされる各異性写真に対して、被検査者の測定した脳波を、脳波分析部１６０がデータ化した後、格納する。
【００７１】
その後、脳波の変化を分析して点数化するステップＳ１０７が進行する。
【００７２】
このステップＳ１０７では、制御器Ａに属する脳波分析部１６０が、各々の異性会員の写真に対する被検査会員の脳波の変化を分析して点数化する。ここで、前記脳波分析部１６０が与える点数は、相手異性会員に対する脳波の変化数値を、全会員において順位をつけた後、百分率化し、その数値をＸとしたとき、（点数 ＝ １００−Ｘ）で算出する。例えば、特定の異性会員に対する被検査会員の脳波の変化数値が、全会員のうち、百分率で上位２５％であれば、点数は（１００−２５）である７５点と算出される。
【００７３】
上記のように、脳波の変化を分析して点数化するステップＳ１０７が進行した後、出会いを周旋する組合せを選定するステップＳ１０８が進行する。
【００７４】
このステップＳ１０８では、制御器Ａに属するマッチング部１７０が、被検査会員と相互の点数が一定レベル以上である異性会員を発掘し、出会いを周旋可能な組合わせに選定する。ここで、出会いを周旋する組合わせに選定するための条件は、双方の異性会員の相手に対する個別点数が全て最小レベル以上であり、双方の異性会員の合計点数が基準値以上でなければならない。たとえば、被検査会員と相手異性会員とが相互に対して上位３０％以内であって、最小７０点以上の場合、個別点数が最小レベル以上といえず、被検査会員と相手異性会員の合計点数は、平均的に上位２０％レベルの１６０点以上でなければならない。
【００７５】
上記のように出会いを周旋する組合わせを選定すれば、次のステップとして、選定した会員に情報を提供するステップＳ１０９が進行する。
【００７６】
このステップＳ１０９では、マッチング情報提供部が出会いを周旋する組合わせに選定した被検査会員と相手会員とに、会うべき相手会員が決まっている内容、及び相手方会員の基本情報を提供する。
【００７７】
これにより、本発明による感性マッチング方法の基本的なステップの進行が完了するが、本発明による感性マッチング方法は、より理想像に近い会員間の組合わせを作るため、ジャンル別音楽出力ステップＳ１０２と、ジャンル別映画ディスプレイステップＳ１０３と、種類別の飲食品のにおい提供ステップＳ１０４がさらに進行することができる。
【００７８】
前記ジャンル別音楽出力ステップＳ１０２は、音楽出力部１３０により、被検査会員にバラード、リズム・アンド・ブルース、ロック、ヒップホップ、インディ・ミュージック、フォーク、ジャズ、ニューエイジ・ミュージックのジャンル別音楽を区分して聞かせる細部ステップと、前記ジャンル別音楽による聴覚刺激で変化する被検査会員の脳波を、脳波測定部１５０が測定する細部ステップと、前記脳波分析部１６０が前記被検査会員に対して、聴覚刺激による脳波の変化を分析し、音楽的趣向を区分する細部ステップと、前記マッチング部１７０が出会いを周旋する組合わせを選定するとき、前記音楽的趣向を考慮し、被検査会員と同一の音楽的趣向を有する会員から選定するようにする細部ステップとを含む。
【００７９】
前記ジャンル別映画ディスプレイステップＳ１０３は、映像出力部１２０が被検査会員にアクション、空想科学、武侠、ユーモア／コメディー、メロ／ドラマ、ホラー、スリラーのジャンル別映画を区分して予告編を見せる細部ステップと、前記ジャンル別映画により変化する被検査会員の脳波を脳波測定部１５０が測定する細部ステップと、前記脳波分析部１６０が前記被検査会員に対して、前記ジャンル別映画による脳波の変化を分析して映画的趣向を区分する細部ステップと、前記マッチング部１７０が、出会いを周旋する組合わせを選定するとき、前記映画的趣向を考慮する被検査会員と同一の映画的趣向を有する会員から選定するようにする細部ステップとを含む。
【００８０】
前記種類別の飲食品のにおい提供ステップＳ１０４は、におい散布部１４０により、被検査会員にキムチチゲのにおい、チャンポンのにおい、海のにおい、ロースステーキのにおい、ピザのにおいの種類別の飲食品のにおいを区分して提供する細部ステップと、前記種類別の飲食品のにおいによる嗅覚刺激で変化する被検査会員の脳波を脳波測定部１５０が測定する細部ステップと、前記脳波分析部１６０が、被検査会員に対する前記嗅覚刺激による脳波の変化を分析し、飲食品の趣向を区分する細部ステップと、前記マッチング部１７０が、出会いを周旋する組合わせを選定するとき、被検査会員と同一の飲食品の趣向を有する会員から選定するようにする細部ステップとを含む。
【００８１】
このように、ジャンル別音楽出力ステップＳ１０２と、ジャンル別映画ディスプレイステップＳ１０３と、種類別の飲食品のにおい提供ステップＳ１０４とがさらに進行すると、被検査会員は、登録された異性会員のうち、外貌に好感を感じることに加えて、自分と音楽的趣向、映画的趣向及び飲食品の趣向が同じ理想像に近接した会員に出会うことができる。
【００８２】
以上、本発明の好ましい実施例を説明したが、本発明は、様々な変化、変更及び均等物を使用することができる。本発明は、上記実施例を適宜変形し、同様に応用することができることは明確である。よって、上記記載内容は、以下のような特許請求の範囲の限界により決まる本発明の範囲を限定するものではない。
【図１】
0005514370.tif 000003
【図２】
0005514370.tif 000004
【図３】
0005514370.tif 000005
【図４】
0005514370.tif 000006
【図５】
0005514370.tif 000007
【図６】
0005514370.tif 000008
【図７】
0005514370.tif 000009
【図８】
0005514370.tif 000010
【図９】
0005514370.tif 000011
【図１０】
0005514370.tif 000012
【図１１】
0005514370.tif 000013
【図１２】
0005514370.tif 000014
【図１３】
0005514370.tif 000015